(57)【特許請求の範囲】
【請求項１】
一直線上に形成された複数のシリンダ穴と、当該複数のシリンダ穴を囲んで形成されたウォータジャケットと、を有し、当該シリンダ穴のそれぞれの周囲に、前記ウォータジャケットに連通する水孔が形成されたシリンダブロックについて、前記ウォータジャケット内の異物を外部に排出する異物排出方法であって、
前記複数のシリンダ穴が上下方向に並ぶように、前記シリンダブロックを配置し、
最上部のシリンダ穴の周囲の水孔に対して、水を噴射した後に空気を噴射する噴射動作を行い、
次に、最上部および最下部を除くシリンダ穴の周囲の水孔に対して、前記噴射動作を行い、
次に、最下部のシリンダ穴の周囲の水孔に対して、前記噴射動作を行い、
最後に、前記最上部のシリンダ穴の周囲の水孔に対して、前記噴射動作を行うことを特徴とする異物排出方法。
【請求項２】
一直線上に形成された複数のシリンダ穴と、当該複数のシリンダ穴を囲んで形成されたウォータジャケットと、を有し、当該シリンダ穴のそれぞれの周囲に、前記ウォータジャケットに連通する水孔が形成されたシリンダブロックについて、前記ウォータジャケット内の異物を外部に排出する異物排出装置であって、
前記複数のシリンダ穴が上下方向に並ぶように、前記シリンダブロックを支持する製品支持手段と、
前記製品支持手段に対向して設けられ、前記水孔に対して、水または空気を噴射する噴射手段と、
前記製品支持手段および前記噴射手段を制御する制御手段と、を備え、
前記制御手段は、最上部のシリンダ穴の周囲の水孔に対して、水を噴射した後に空気を噴射する噴射動作を行い、
次に、最上部および最下部を除くシリンダ穴の周囲の水孔に対して、前記噴射動作を行い、
次に、最下部のシリンダ穴の周囲の水孔に対して、前記噴射動作を行い、
最後に、前記最上部のシリンダ穴の周囲の水孔に対して、前記噴射動作を行うことを特徴とする異物排出装置。
【発明の詳細な説明】
【技術分野】
【０００１】
本発明は、異物排出方法および異物排出装置に関する。
【背景技術】
【０００２】
従来より、自動車用のエンジンには、シリンダブロックが用いられる。シリンダブロックは、鋳造により製造されるが、このシリンダブロックには、鋳造する際に、中子砂を用いてウォータジャケットが形成される。
その結果、このウォータジャケット内には、中子砂や切り子等の異物が残るため、ウォータジャケット内に水を噴射することで、異物を排出する方法が提案されている（例えば、特許文献１参照）。
【先行技術文献】
【特許文献】
【０００３】
【特許文献１】特許第２７４７１４２号
【発明の概要】
【発明が解決しようとする課題】
【０００４】
ところで、ガソリンエンジン用のウォータジャケットは、オープンタイプであるのに対し、ディーゼルエンジン用のウォータジャケットは、クローズタイプと呼ばれ、ガソリンエンジン用のものと比べて、複雑な構造である。したがって、ガソリンエンジン用のウォータジャケットに対しては、特許文献１に示された方法で異物を排出できるが、ディーゼルエンジン用のウォータジャケットに対しては、特許文献１に示された方法で異物を排出することは困難となる。
【０００５】
本発明は、複雑な構造のシリンダブロックであっても、ウォータジャケット内の異物を確実に排出できる異物排出方法および異物排出装置を提供することを目的とする。
【課題を解決するための手段】
【０００６】
本発明の異物排出方法は、一直線上に形成された複数のシリンダ穴と、当該複数のシリンダ穴を囲んで形成されたウォータジャケットと、を有し、当該シリンダ穴のそれぞれの周囲に、前記ウォータジャケットに連通する水孔が形成されたシリンダブロックについて、前記ウォータジャケット内の異物を外部に排出する異物排出方法であって、前記複数のシリンダ穴が上下方向に並ぶように、前記シリンダブロックを配置し、最上部のシリンダ穴の周囲の水孔に対して、水を噴射した後に空気を噴射する噴射動作を行い、次に、最上部および最下部を除くシリンダ穴の周囲の水孔に対して、前記噴射動作を行い、次に、最下部のシリンダ穴の周囲の水孔に対して、前記噴射動作を行い、最後に、前記最上部のシリンダ穴の周囲の水孔に対して、前記噴射動作を行うことを特徴とする。
【０００７】
この発明によれば、複数のシリンダ穴が上下方向に並ぶように、シリンダブロックを配置する。そして、最上部のシリンダ穴の周囲の水孔、最上部および最下部を除くシリンダ穴の周囲の水孔、最下部のシリンダ穴の周囲の水孔の順番に、噴射動作を行った後、最後に、最上部のシリンダ穴の周囲の水孔に対して、噴射動作を行う。
これによれば、まず、最上部のシリンダ穴の周囲の水孔に対して噴射動作を行うことで、最上部以外のシリンダ穴の周囲の水孔から、ウォータジャケット内の異物のほとんどを外部に排出する。次に、最上部および最下部を除くシリンダ穴の周囲の水孔に対して噴射動作を行うことで、ウォータジャケット内に残存する異物を撹拌する。次に、最下部のシリンダ穴の周囲の水孔に対して噴射動作を行うことで、最下部以外のシリンダ穴の周囲の水孔から、ウォータジャケット内に残存する異物を外部に排出する。最後に、最上部のシリンダ穴の周囲の水孔に対して噴射動作を行うことで、最上部以外のシリンダ穴の周囲の水孔から、ウォータジャケット内に残存する異物を外部に排出する。
以上のように、ウォータジャケット内の異物を外部に排出する過程において、ウォータジャケット内に残存する異物を撹拌することで、ウォータジャケットの隅等に異物が蓄積するのを防止できる。このため、撹拌した後に、最下部のシリンダ穴の周囲の水孔、最上部のシリンダ穴の周囲の水孔の順番に、噴射動作を行うことで、ウォータジャケット内に残存する異物を確実に外部に排出できる。
【０００８】
本発明の鋳造品の異物排出装置は、一直線上に形成された複数のシリンダ穴と、当該複数のシリンダ穴を囲んで形成されたウォータジャケットと、を有し、当該シリンダ穴のそれぞれの周囲に、前記ウォータジャケットに連通する水孔が形成されたシリンダブロックについて、前記ウォータジャケット内の異物を外部に排出する異物排出装置であって、前記複数のシリンダ穴が上下方向に並ぶように、前記シリンダブロックを支持する製品支持手段と、前記製品支持手段に対向して設けられ、前記水孔に対して、水または空気を噴射する噴射手段と、前記製品支持手段および前記噴射手段を制御する制御手段と、を備え、前記制御手段は、最上部のシリンダ穴の周囲の水孔に対して、水を噴射した後に空気を噴射する噴射動作を行い、次に、最上部および最下部を除くシリンダ穴の周囲の水孔に対して、前記噴射動作を行い、次に、最下部のシリンダ穴の周囲の水孔に対して、前記噴射動作を行い、最後に、前記最上部のシリンダ穴の周囲の水孔に対して、前記噴射動作を行うことを特徴とする。
【０００９】
この発明によれば、上述の効果と同様の効果がある。
【発明の効果】
【００１０】
本発明によれば、複数のシリンダ穴が上下方向に並ぶように、シリンダブロックを配置する。そして、最上部のシリンダ穴の周囲の水孔、最上部および最下部を除くシリンダ穴の周囲の水孔、最下部のシリンダ穴の周囲の水孔の順番に、噴射動作を行った後、最後に、最上部のシリンダ穴の周囲の水孔に対して、噴射動作を行う。
これによれば、まず、最上部のシリンダ穴の周囲の水孔に対して噴射動作を行うことで、最上部以外のシリンダ穴の周囲の水孔から、ウォータジャケット内の異物のほとんどを外部に排出する。次に、最上部および最下部を除くシリンダ穴の周囲の水孔に対して噴射動作を行うことで、ウォータジャケット内に残存する異物を撹拌する。次に、最下部のシリンダ穴の周囲の水孔に対して噴射動作を行うことで、最下部以外のシリンダ穴の周囲の水孔から、ウォータジャケット内に残存する異物を外部に排出する。最後に、最上部のシリンダ穴の周囲の水孔に対して噴射動作を行うことで、最上部以外のシリンダ穴の周囲の水孔から、ウォータジャケット内に残存する異物を外部に排出する。
以上のように、ウォータジャケット内の異物を外部に排出する過程において、ウォータジャケット内に残存する異物を撹拌することで、ウォータジャケットの隅等に異物が蓄積するのを防止できる。このため、撹拌した後に、最下部のシリンダ穴の周囲の水孔、最上部のシリンダ穴の周囲の水孔の順番に、噴射動作を行うことで、ウォータジャケット内に残存する異物を確実に外部に排出できる。
【図面の簡単な説明】
【００１１】
【図１】本発明の一実施形態に係る異物排出装置の概略構成を示す図である。
【図２】前記異物排出装置の動作を説明するための図である。
【発明を実施するための形態】
【００１２】
以下、本発明の実施形態について図面に基づいて説明する。
図１は、本発明の一実施形態に係る異物排出装置１０の概略構成を示す図である。
【００１３】
異物排出装置１０は、シリンダブロック５０に形成されたウォータジャケット５２内の異物７０を外部に排出するものである。この異物排出装置１０は、シリンダブロック５０を支持する製品支持手段としての搬送用パレット１１と、搬送用パレット１１に対向して設けられた噴射手段としての噴射装置１２と、搬送用パレット１１および噴射装置１２を制御する制御手段（図示省略）と、を備える。
【００１４】
シリンダブロック５０は、一直線上に形成された４つのシリンダ穴５１Ａ、５１Ｂ、５１Ｃ、５１Ｄと、これら４つのシリンダ穴５１Ａ〜５１Ｄを囲んで形成されたウォータジャケット５２と、を有する。シリンダ穴５１Ａ〜５１Ｄのそれぞれの周囲には、ウォータジャケット５２に連通する水孔５３Ａ、５３Ｂ、５３Ｃ、５３Ｄ、５３Ｅが形成されている。ウォータジャケット５２内には、中子砂や切り子等の異物７０がある。
【００１５】
搬送用パレット１１は、シリンダ穴５１Ａ〜５１Ｄが上下方向に並ぶように、シリンダブロック５０を支持する。
【００１６】
噴射装置１２は、水が収容されたタンク１２１と、圧縮空気を送るポンプ１２２と、切替弁１２３と、８つの噴射ノズル１３１Ａ、１３１Ｂ、１３２Ａ、１３２Ｂ、１３３Ａ、１３３Ｂ、１３４Ａ、１３４Ｂと、を備える。
【００１７】
タンク１２１とポンプ１２２とは、第１配管１４１で接続され、この第１配管１４１の途中には、開閉弁Ｇが設けられている。
ポンプ１２２と切替弁１２３とは、第２配管１４２で接続される。
切替弁１２３には、タンク１２１の内部にまで延びる第３配管１４３が設けられている。
【００１８】
切替弁１２３には、８つの噴射ノズル１３１Ａ〜１３４Ａ、１３１Ｂ〜１３４Ｂに至る第４配管１４４が設けられている。
第４配管１４４は、切替弁１２３から延びる主配管１４４Ｅと、主配管１４４Ｅから分岐する４つの副配管１４４Ａ、１４４Ｂ、１４４Ｃ、１４４Ｄと、を備える。
主配管１４４Ｅの途中には、主配管１４４Ｅと外部とを連通可能な大気開放弁Ｅが設けられている。
副配管１４４Ａ〜１４４Ｄの途中には、それぞれ、開閉弁Ａ、Ｂ、Ｃ、Ｄが設けられている。
【００１９】
副配管１４４Ａは、２つに分岐しており、それぞれの先端には、噴射ノズル１３１Ａ、１３１Ｂが設けられる。同様に、副配管１４４Ｂは、２つに分岐しており、それぞれの先端には、噴射ノズル１３２Ａ、１３２Ｂが設けられる。副配管１４４Ｃは、２つに分岐しており、それぞれの先端には、噴射ノズル１３３Ａ、１３３Ｂが設けられる。副配管１４４Ｄは、２つに分岐しており、それぞれの先端には、噴射ノズル１３４Ａ、１３４Ｂが設けられる。
【００２０】
噴射ノズル１３１Ａ〜１３４Ａ、１３１Ｂ〜１３４Ｂは、固定部１３により固定され、噴射ノズル１３１Ａ、１３１Ｂは、シリンダ穴５１Ａの周囲の水孔５３Ａ、５３Ｂに対向し、噴射ノズル１３２Ａ、１３２Ｂは、シリンダ穴５１Ｂの周囲の水孔５３Ｂ、５３Ｃに対向する。また、噴射ノズル１３３Ａ、１３３Ｂは、シリンダ穴５１Ｃの周囲の水孔５３Ｃ、５３Ｄに対向し、噴射ノズル１３４Ａ、１３４Ｂは、シリンダ穴５１Ｄの周囲の水孔５３Ｄ、５３Ｅに対向する。
【００２１】
以下、異物排出装置１０の動作について説明する。
まず、水を噴射する動作について説明する。
すなわち、噴射ノズル１３１Ａ、１３１Ｂから水を噴射する場合には、ポンプ１２２を常時駆動させておき、開閉弁Ａ、Ｇを開くとともに、開閉弁Ｂ〜Ｄおよび大気開放弁Ｅを閉じる。同時に、切替弁１２３を操作して、第２配管１４２と主配管１４４Ｅとを接続する。すると、タンク１２１内の水が第２配管１４２、主配管１４４Ｅ、および副配管１４４Ａを通って、噴射ノズル１３１Ａ、１３１Ｂから噴射される。
【００２２】
なお、噴射ノズル１３２Ａ、１３２Ｂから水を噴射する場合も、噴射ノズル１３１Ａ、１３１Ｂから水を噴射する場合と同様であるが、開閉弁Ｂ、Ｇを開くとともに、開閉弁Ａ、Ｃ、Ｄおよび大気開放弁Ｅを閉じる。また、噴射ノズル１３３Ａ、１３３Ｂから水を噴射する場合には、開閉弁Ｃ、Ｇを開くとともに、開閉弁Ａ、Ｂ、Ｄおよび大気開放弁Ｅを閉じる。また、噴射ノズル１３４Ａ、１３４Ｂから水を噴射する場合には、開閉弁Ｄ、Ｇを開くとともに、開閉弁Ａ〜Ｃおよび大気開放弁Ｅを閉じる。
【００２３】
次に、空気を噴射する動作について説明する。
すなわち、噴射ノズル１３１Ａ、１３１Ｂから空気を噴射する場合には、ポンプ１２２を常時駆動させておき、開閉弁Ａおよび大気開放弁Ｅを開くとともに、開閉弁Ｂ〜Ｄ、Ｇを閉じる。同時に、切替弁１２３を操作して、第２配管１４２と主配管１４４Ｅとを接続する。すると、大気開放弁Ｅから空気が流入して、この空気が主配管１４４Ｅおよび副配管１４４Ａを通って、噴射ノズル１３１Ａ、１３１Ｂから噴射される。
【００２４】
なお、噴射ノズル１３２Ａ、１３２Ｂから空気を噴射する場合も、噴射ノズル１３１Ａ、１３１Ｂから空気を噴射する場合と同様であるが、開閉弁Ｂおよび大気開放弁Ｅを開くとともに、開閉弁Ａ、Ｃ、Ｄ、Ｇを閉じる。また、噴射ノズル１３３Ａ、１３３Ｂから空気を噴射する場合には、開閉弁Ｃおよび大気開放弁Ｅを開くとともに、開閉弁Ａ、Ｂ、Ｄ、Ｇを閉じる。また、噴射ノズル１３４Ａ、１３４Ｂから空気を噴射する場合には、開閉弁Ｄおよび大気開放弁Ｅを開くとともに、開閉弁Ａ〜Ｃ、Ｇを閉じる。
【００２５】
次に、水や空気を噴射しない場合の動作について説明する。
この場合、切替弁１２３を操作して、第２配管１４２と第３配管１４３とを接続する。ポンプ１２２は、常時駆動しているため、タンク１２１内の水は、第２配管１４２および第３配管１４３を通って、タンク１２１内に戻り、循環することになる。
【００２６】
異物排出装置１０の動作について、図２を用いて、以下に説明する。
【００２７】
まず、ステップＳ１において、搬送用パレット１１により、シリンダ穴５１Ａ〜５１Ｄが上下方向に並ぶようにシリンダブロック５０を支持した後、水孔５３Ａ〜５３Ｅに噴射ノズル１３１Ａ〜１３４Ａ、１３１Ｂ〜１３４Ｂを近接させる。これにより、最上部のシリンダ穴５１Ａの周囲の水孔５３Ａ、５３Ｂには、噴射ノズル１３１Ａ、１３１Ｂが対向し、最下部のシリンダ穴５１Ｄの周囲の水孔５３Ｄ、５３Ｅには、噴射ノズル１３４Ａ、１３４Ｂが対向する。また、最上部および最下部を除くシリンダ穴５１Ｂ、５１Ｃの周囲の水孔５３Ｂ〜５３Ｄのうち、水孔５３Ｂには、噴射ノズル１３２Ａが対向し、水孔５３Ｃには、噴射ノズル１３２Ｂ、１３３Ａが対向し、水孔５３Ｄには、１３３Ｂが対向する。
【００２８】
次に、ステップＳ２において、最上部のシリンダ穴５１Ａの周囲の水孔５３Ａ、５３Ｂに対して、噴射ノズル１３１Ａ、１３１Ｂから水を噴射した後、空気を噴射する。これにより、水孔５３Ｃ〜５３Ｅから、ウォータジャケット５２内の異物７０のほとんどを外部に排出する。
【００２９】
次に、ステップＳ３において、最上部および最下部を除くシリンダ穴５１Ｂ、５１Ｃの周囲の水孔５３Ｂ〜５３Ｄに対して、噴射ノズル１３２Ａ、１３２Ｂ、１３３Ａ、１３３Ｂから水を噴射した後、空気を噴射する。これにより、ウォータジャケット５２内に残存する異物７０を撹拌する。
【００３０】
次に、ステップＳ４において、最下部のシリンダ穴５１Ｄの周囲の水孔５３Ｄ、５３Ｅに対して、噴射ノズル１３４Ａ、１３４Ｂから水を噴射した後、空気を噴射する。これにより、水孔５３Ａ〜５３Ｃから、ウォータジャケット５２内に残存する異物７０を外部に排出する。
【００３１】
次に、ステップＳ５において、最上部のシリンダ穴５１Ａの周囲の水孔５３Ａ、５３Ｂに対して、噴射ノズル１３１Ａ、１３１Ｂから水を噴射した後、空気を噴射する。これにより、水孔５３Ｃ〜５３Ｅから、ウォータジャケット５２内に残存する異物７０を外部に排出する。
【００３２】
本実施形態によれば、以下のような効果がある。
（１）シリンダ穴５１Ａ〜５１Ｄが上下方向に並ぶように、シリンダブロック５０を配置する。そして、最上部のシリンダ穴５１Ａの周囲の水孔５３Ａ、５３Ｂ、最上部および最下部を除くシリンダ穴５１Ｂ、５１Ｃの周囲の水孔５３Ｂ〜５３Ｄ、最下部のシリンダ穴５１Ｄの周囲の水孔５３Ｄ、５３Ｅの順番に、噴射動作を行った後、最後に、最上部のシリンダ穴５１Ａの周囲の水孔５３Ａ、５３Ｂに対して、噴射動作を行う。
これによれば、まず、最上部のシリンダ穴５１Ａの周囲の水孔５３Ａ、５３Ｂに対して噴射動作を行うことで、最上部以外のシリンダ穴５１Ｂ〜５１Ｄの周囲の水孔５３Ｃ〜５３Ｅから、ウォータジャケット５２内の異物７０のほとんどを外部に排出する。次に、最上部および最下部を除くシリンダ穴５１Ｂ、５１Ｃの周囲の水孔５３Ｂ〜５３Ｄに対して噴射動作を行うことで、ウォータジャケット５２内に残存する異物７０を撹拌する。次に、最下部のシリンダ穴５１Ｄの周囲の水孔５３Ｄ、５３Ｅに対して噴射動作を行うことで、最下部以外のシリンダ穴５１Ａ〜５１Ｃの周囲の水孔５３Ａ〜５３Ｃから、ウォータジャケット５２内に残存する異物７０を外部に排出する。最後に、最上部のシリンダ穴５１Ａの周囲の水孔５３Ａ、５３Ｂに対して噴射動作を行うことで、最上部以外のシリンダ穴５１Ｂ〜５１Ｄの周囲の水孔５３Ｃ〜５３Ｅから、ウォータジャケット５２内に残存する異物７０を外部に排出する。
以上のように、ウォータジャケット５２内の異物７０を外部に排出する過程において、ウォータジャケット５２内に残存する異物７０を撹拌することで、ウォータジャケット５２の隅等に異物７０が蓄積するのを防止できる。このため、撹拌した後に、最下部のシリンダ穴５１Ｄの周囲の水孔５３Ｄ、５３Ｅ、最上部のシリンダ穴５１Ａの周囲の水孔５３Ａ、５３Ｂの順番に噴射動作を行うことで、ウォータジャケット５２内に残存する異物７０を確実に外部に排出できる。
【００３３】
なお、本発明は、上述の実施形態に限定されるものではなく、本発明の目的を達成できる範囲での変形、改良等は、本発明に含まれるものである。
【符号の説明】
【００３４】
１０    異物排出装置
１１    搬送用パレット
１２    噴射装置
５０    シリンダブロック
５１Ａ、５１Ｂ、５１Ｃ、５１Ｄ    シリンダ穴
５２    ウォータジャケット
５３Ａ、５３Ｂ、５３Ｃ、５３Ｄ、５３Ｅ    水孔
７０    異物
【図１】
0005336863.tif 000002
【図２】
0005336863.tif 000003